(57)【特許請求の範囲】
【請求項１】
外側格子体と内側格子体とを備え、外側格子体は、上下に配置する外側横桟と、外側横桟間に左右方向に間隔をおいて固定される複数の外側縦格子を有し、内側格子体は、上下に配置する内側横桟と、内側横桟の内周側に左右方向に移動自在に係合する上下の移動横材と、移動横材間に左右方向に間隔をおいて固定される複数の内側縦格子とを有し且つ外側格子体と内外方向に重合する位置から左右方向の一方側に移動自在なものであり、上下の外側横桟と上下の移動横材は、各々の内周側見込み面が略連続し、外側縦格子は、内側縦格子に対向する見付け面における一方側端部から内側縦格子に向けて突出し且つ内側縦格子の一方側見込み面に略連続する内向き突出片を有し、内側縦格子は、外側縦格子に対向する見付け面における他方側端部から外側縦格子に向けて突出し且つ外側縦格子の他方側見込み面に略連続する外向き突出片を有しており、外向き突出片は、内向き突出片と左右方向に間隔をおいて設けたものであるとともに、内側格子体を左右方向に移動したときに内向き突出片に近づき且つ当接することを特徴とする可動格子体。  
【発明の詳細な説明】
【技術分野】
【０００１】
本発明は、外側縦格子と内側縦格子の開き具合によって通気や採光、プライバシーの保護を図れる可動格子体に関するものである。
【背景技術】
【０００２】
外側格子体と内側格子体とを備え、各格子体の開く位置関係によって通気や採光とプライバシーの保護などを両立した可動格子体として、特開２００４−０１９４１０号公報に開示されるものがあり、この可動格子体は、外側縦格子と内側縦格子が内外方向に重なることで開き状態となり、屋内への風の取り入れや採光ができるようになる。また、左右の外側縦格子間に内側縦格子が位置することで閉塞した状態となり、これにより、屋内のプライバシーの保護を図れるものであった。
【特許文献１】特開２００４−０１９４１０号公報
【発明の開示】
【発明が解決しようとする課題】
【０００３】
しかしながら、上記の特開２００４−０１９４１０号公報に開示される可動格子体では、外側格子体と内側格子体とが単に引違い戸のように重なる構成であることから、可動格子体が開き状態のときには、外側縦格子間又は内側縦格子間から外側縦格子と内側縦格子の一方側見込み面間及び他方側見込み面間の隙間が露出してしまい、このことから、可動格子体としての意匠的な統一感が欠落する問題点があった。
本発明は、上記課題を鑑みてなされたものであり、外側格子体と内側格子体が通気や採光が可能な開き状態にあるときに、視覚的に統一感のある意匠性を醸し出せる可動格子体を提供することにある。
【課題を解決するための手段】
【０００４】
本発明は、外側格子体は、上下に配置する外側横桟と、外側横桟間に左右方向に間隔をおいて固定される複数の外側縦格子を有し、内側格子体は、上下に配置する内側横桟と、内側横桟の内周側に左右方向に移動自在に係合する上下の移動横材と、移動横材間に左右方向に間隔をおいて固定される複数の内側縦格子とを有し且つ外側格子体と内外方向に重合する位置から左右方向の一方側に移動自在なものであり、上下の外側横桟と上下の移動横材は、各々の内周側見込み面が略連続し、外側縦格子は、内側縦格子に対向する見付け面における一方側端部から内側縦格子に向けて突出し且つ内側縦格子の一方側見込み面に略連続する内向き突出片を有し、内側縦格子は、外側縦格子に対向する見付け面における他方側端部から外側縦格子に向けて突出し且つ外側縦格子の他方側見込み面に略連続する外向き突出片を有しており、外向き突出片は、内向き突出片と左右方向に間隔をおいて設けたものであるとともに、内側格子体を左右方向に移動したときに内向き突出片に近づき且つ当接することを特徴とする。
【発明の効果】
【０００５】
請求項１記載の発明によれば、外側縦格子と内側縦格子が内外方向に重なるとき（可動格子体が開き状態のとき。）に、外側縦格子の内側見付け面の一方側端部には、対向位置ある内側縦格子に向けて突出する内向き突出片を有しており、外側縦格子と対向位置にある内側縦格子の外側見付け面の一方側端部に、外側縦格子に向けて突出する外向き突出片を有することで、外側縦格子の内向き突出片が内側縦格子の外側見付け面に向けて突出する共に、内側縦格子の外向き突出片が外側縦格子の内側見付け面に向けて突出することで、対向位置にある外側縦格子と内側縦格子の一方側見込み面間及び他方側見込み面間の隙間を隠す。これにより、対向位置にある外側縦格子と内側縦格子の一方側見込み面と他方側見込み面が視覚的に略連続した状態となり、また、外側横桟と内側横桟の各々の内周側見込み面も内外方向に略連続した状態になることから、本実施による可動格子体が開き状態のときに、視覚的に統一感のある意匠性を醸し出すことができる。
【発明を実施するための最良の形態】
【０００６】
以下に、図面に基づいて本実施による可動格子体の実施の形態を説明する。
図１（ａ）（ｂ）は、図３中Ａ−Ａ断面図であり、（ａ）は、本実施による可動格子体の開き状態を示すものであり、（ｂ）は、閉塞したときの状態である。図２は、図３中Ｂ−Ｂ断面図である。図３は、本実施による可動格子体の全体正面図である。また、本実施による可動格子体は、フェンスに適用したものである。
【０００７】
本実施による可動格子体は、図１（ａ）（ｂ）、図２及び図３を参照すれば、外側格子体１と内側格子体２とを左右の支柱５間で挟んで構成するもので、このうち、内側格子体２が上下の内側横桟２ｂに沿って左右方向に移動自在に形成されている。外側格子体１は、支柱５間の上下に間隔をあけて配置する外側横桟１ｂと、上下の外側横桟１ｂ間に配置し且つ左右方向に間隔をあけて固定される複数の外側縦格子１ａとからなっており、このうち、外側縦格子１ａは、内側見付け面１３ａに窪み１７を有する断面略凹字型をなし、また、一方側見込み面（図１（ａ）中の図示左側）１１ａに、内側に向けて突出する内向き突出片３ａを有しており、内向き突出片３ａの先端部には、その先端部に溝部を嵌め込む状態で略コ字状をなすタイト材７が嵌合してある。尚、外側縦格子１ａの内側見付け面１３ａに窪み１７を設けてあることにより、外側格子体１と内側格子体２を引き違えたときに接触しない箇所ができて抵抗が小さくなるので、内側格子体２の開け閉めが軽くなると共に、開閉時の音も小さくなる（図２参照）。
【０００８】
内側格子体２は、外側格子体１と内側格子体２が内外に重合（可動格子体の開き状態。）するとき、外側格子体１の上下の外側横桟１ｂ内周側の内周側見込み面１８ａ，１９ａ及び内周側見込み面１８ｂ，１９ｂが内外方向に略連続して位置する上下の内側横桟２ｂと、外側縦格子１ａと内外方向に重なるように位置し且つ上下の移動横材４ａ，４ｂ間に左右方向に間隔をおいて固定される複数の内側縦格子２ａとからなっている。上側の内側横桟２ｂは、上向きに突出したレール状をなすものであり、また、下側の内側横桟２ｂは、内側縦格子２ａ下端部の内外両側及び下方の三方を囲む断面略凹字型をなすものである。上側の移動横材４ａの上面には、水平軸回りするガイドローラー９が設けてあり、ガイドローラー９は、内側横桟２ｂ内に設けてある左右の上側ストッパー１４間に配置する下向き湾曲凸状をなす板ばね１４ａを乗り越えることで、左右に夫々配置してある上側ストッパー１４のいずれか側に位置するよう移動自在に取り付けてあり、また、下側の移動横材４ｂは、下端面に下向きに突出した振れ止め具１６を有しており、振れ止め具１６は、下側の内側横桟２ｂ内に設けてある溝内を移動し、且つ溝内の左右に間隔あけて設けてある下側ストッパー１５間の範囲内を左右方向に移動自在に取り付けてあるので、これにより、ガイドローラー９と振れ止め具１６が上下のストッパー１４，１５間を連動して移動することで、内側格子体２を外側格子体１の左右方向に移動させることができる。また、内側格子体２の移動範囲は、上下のストッパー１４，１５により、外側縦格子１ａと内側縦格子２ａが内外方向に重なる位置（開き状態）から外側縦格子１ａ間６の位置（閉塞した状態）までとしてあり、本実施による可動格子体が開き状態にあるときは、屋内への通気や採光ができ、また、閉塞した状態にあるときは、屋内のプライバシーの保護などを図ることができる。内側縦格子２ａは、断面略矩形状をなし、一方側見込み面（図１（ａ）中の図示右側）１２ｂに、開き状態のときに対向する外側縦格子１ａに向けて突出する外向き突出片３ｂが設けてあり、外向き突出片３ｂの先端部には、上記内向き突出片３ａと同様に、略コ字型をなすタイト材７の溝部を嵌合してある。
【０００９】
以上のように、外側格子体１と内側格子体２を構成してあることにより、外側縦格子１ａと内側縦格子２ａが内外方向に重なる位置にあるとき、つまりは、本実施によるが可動格子体が開き状態にあるときには、外側縦格子１ａの内向き突出片３ａの先端部のタイト材７が内側縦格子２ａの外側見付け面１３ｂの近接位置まで突出すると共に、内側縦格子２ａの外向き突出片３ｂの先端部のタイト材７が外側縦格子１ａの内側見付け面１３ａの近接位置まで突出する。したがって、外側縦格子１ａと内側縦格子２ａの夫々の一方側見込み面１１ａ，１２ｂと他方側見込み面１１ｂ，１２ａとの間の隙間が、内向き突出片３ａと外向き突出片３ｂによって隠れることで、外側縦格子１ａと内側縦格子２ａの夫々の一方側見込み面１１ａ，１２ｂ及び他方側見込み面１１ｂ，１２ａが内外方向に略連続した状態となり、また、上下の外側横桟１ｂと内側横桟２ｂの夫々の内周側見込み面１８ａ，１９ａ及び内周側見込み面１８ｂ，１９ｂも内外方向に略連続した状態になることから、本実施による可動格子体が開き状態にあるとき、外側縦格子１ａと内側縦格子２ａの意匠的な統一感が醸し出されることになる。また、外側縦格子１ａと内側格子体２ａを閉じたときであっても、外側縦格子１ａと内側縦格子２ａとの間に隙間が形成されて室内に風を取り込むこともできる（図４（ｂ）参照）。
【００１０】
本発明は、上記の実施形態に限るものではなく、内向き突出片３ａ及び外向き突出片３ｂの夫々の先端部に、タイト材７に替えてモヘアを取り付けてもよく、外側縦格子１ａと内側縦格子２ａの夫々の一方側見込み面１１ａ，１２ｂと他方側見込み面１１ｂ，１２ａが視覚的に略連続した状態となるようなものであればよい。また、タイト材７は、内向き突出片３ａと外向き突出片３ｂにより外側縦格子１ａと内側縦格子２ａの意匠的な統一感を醸し出せば足りるため、必ずしも取り付ける必要はない。また、本実施の可動格子体では、内側格子体２が吊り戸タイプのものについて示したが、戸車タイプのものやスベリタイプのものでもよく、これにより、上下の移動横材４ａ，４ｂの形態についても限定するものではない。また、図４（ａ）（ｂ）のように、内側縦格子２ａの外側見付面側の一方のコーナー部は面取りしてあり、その面取りによる切欠部には、取り付けたときに内側縦格子２ａが略矩形状をなす弾性部材２１を有しており、これにより、内側縦格子２ａと外側縦格子１ａが内外に重なったときに、使用者が指を挟んでも弾性部材２１が変形して怪我のおそれがなくなる。また、内側縦格子２ａの室内側見付面には、室内側に向けて突出する持ち手２０が設けてあり、その持ち手２０を使用者が指をかけて操作することで、使用者は内側格子体２ａを閉めるときに縦框との間に指を挟むことがない。
【図面の簡単な説明】
【００１１】
【図１（ａ）（ｂ）】図３中Ａ−Ａ断面図であり、（ａ）は、本実施による可動格子体の開き状態を示すものであり、（ｂ）は、閉塞状態である。
【図２】図３中Ｂ−Ｂ断面図である。
【図３】本実施による可動格子体の全体を示す正面図である。
【図４（ａ）（ｂ）】本発明の他の実施形態をあり、（ａ）は、本実施による可動格子体の開き状態を示すものであり、（ｂ）は、閉塞状態である。
【符号の説明】
【００１２】
１  外側格子体
１ａ  外側縦格子
１ｂ  外側横桟
２  内側格子体
２ａ  内側縦格子
２ｂ  内側横桟
３ａ  内向き突出片
３ｂ  外向き突出片
４ａ，４ｂ  移動横材
１１ａ，１２ｂ  一方側見込み面（見込み面）
１１ｂ，１２ａ  他方側見込み面（見込み面）
１３ａ  内側見付け面（見付け面）
１３ｂ  外側見付け面（見付け面）
１８ａ，１９ａ  内周側見込み面（外側格子体）
１８ｂ，１９ｂ  内周側見込み面（内側格子体）
【図１（ａ）（ｂ）】
0005078746.tif 000002
【図２】
0005078746.tif 000003
【図３】
0005078746.tif 000004
【図４（ａ）（ｂ）】
0005078746.tif 000005